(57)【要約】【課題】  使用初期での更なる性能向上を図ることが可能な空気入りタイヤを得る。【解決手段】  ブロック２０の踏面には、路面との間に生じた水分を吸収して、水膜を除去あるいは減少可能な第１曲線浅溝２６、及び第２曲線浅溝２７が設けられている。この第１曲線浅溝２６及び第２曲線浅溝２７により、サブブロック２８が微小陸部３０に区画されている。第１曲線浅溝２６は、タイヤ周方向に対して所定角度傾斜された波線状とされ、第２曲線浅溝２７は、タイヤ周方向に対して第１曲線浅溝２６と線対称の形状とされている。第１曲線浅溝２６及び第２曲線浅溝２７の少なくとも一方の端部はいずれかの主溝３８に達している。【選択図】        図１
2006151223.tif 000002
【特許請求の範囲】
【請求項１】
トレッド面に複数の主溝で区画された複数の陸部を有し、タイヤ幅方向に延びる少なくとも１つのサイプによって前記陸部が分割されてサブブロックが形成された空気入りタイヤにおいて、
前記陸部に、前記サイプよりも浅く少なくとも一方の端部が前記複数の主溝またはトレッド端のいずれかに達する曲線状の第１曲線浅溝と、前記サイプよりも浅く少なくとも一方の端部が前記複数の主溝またはトレッド端のいずれかに達すると共に前記第１曲線浅溝と交差する曲線状の第２曲線浅溝と、
を備えたことを特徴とする空気入りタイヤ。
【請求項２】
前記複数の主溝のうちのタイヤ幅方向に延びるタイヤ幅方向主溝に対して、タイヤ回転方向後方側に位置する前記陸部の溝後方領域における前記第１曲線浅溝及び第２曲線浅溝の形成密度が、タイヤ回転方向前方側に位置する前記陸部の溝前方領域における前記第１曲線浅溝及び第２曲線浅溝の形成密度よりも大きいことを特徴とする請求項１に記載の空気入りタイヤ。
【請求項３】
前記第１曲線浅溝及び前記第２曲線浅溝は、タイヤ周方向に対して所定角度傾斜された波線状とされ、前記溝後方領域での接線の平均傾斜角度が前記溝前方領域での接線の平均傾斜角度よりも大きい、ことを特徴とする請求項２に記載の空気入りタイヤ。
【請求項４】
前記第１曲線浅溝及び第２曲線浅溝が、０．１ｍｍ〜０．５ｍｍの深さ及び、０．１ｍｍ〜１．０ｍｍの幅とされていることを特徴とする請求項１〜請求項３のいずれか１項に記載の空気入りタイヤ。
【請求項５】
複数の前記第１曲線浅溝及び第２曲線浅溝によって区画された複数の微小陸部が、０．４ｍｍ2〜３０ｍｍ2の踏面面積とされていることを特徴とする請求項１〜請求項４のいずれか１項に記載の空気入りタイヤ。
【請求項６】
複数の前記第１曲線浅溝及び第２曲線浅溝が、規則的なパターンにより配置されていることを特徴とする請求項１〜請求項５のいずれか１項に記載の空気入りタイヤ。
【請求項７】
前記陸部を構成するゴムが、タイヤの半径方向外側の発泡ゴム層と、半径方向内側の未発泡ゴム層と、で構成されていることを特徴とする請求項１〜請求項６のいずれか１項に記載の空気入りタイヤ。
【発明の詳細な説明】
【技術分野】
【０００１】
本発明は、トレッド面に複数の主溝で区画された複数の陸部を有する空気入りに関し、さらに詳しくは、タイヤ使用初期での性能を向上させた空気入りタイヤに関する。
【背景技術】
【０００２】
氷雪路面やウェット路面等での性能を向上させたタイヤとして、いわゆるスタッドレスタイヤがある。スタッドレスタイヤには、種々の充填剤を配合して、氷表面のエッジ効果を得るようにしたものや、発泡ゴムを使用して、使用期間中の発泡層による吸水・エッジ効果を得るようにしたもの等がある。
【０００３】
しかし、一般にゴムは、加硫硬化された場合に金型と直接接触するタイヤ表面に、上記の充填剤や発泡層が露出せず、タイヤ表面に皮膜が形成されてしまう傾向にある。その結果、タイヤの使用初期においては、充填剤や発泡層の効果が発揮されない（若しくは、その効果が小さい）ことになる。
【０００４】
これに対し、たとえば特許文献１や特許文献２には、トレッド表面に細溝を形成することで、摩耗初期における制駆動性能を向上させた氷雪路用空気入りタイヤが記載されている。また、特許文献３には、トレッドの接地陸部にタイヤ周方向と０°〜４０°の角度をなす浅溝をタイヤ幅方向に並べて配置した空気入りタイヤが記載されている。
【０００５】
しかし、空気入りタイヤの実際の使用状況では、使用初期における更なる性能向上が求められている。
【特許文献１】特開２００４−３４９０２号公報
【特許文献２】特開２００４−３４９０３号公報
【特許文献３】特開平７−１８６６３３号公報
【発明の開示】
【発明が解決しようとする課題】
【０００６】
本発明は上記事実を考慮し、使用初期での更なる性能向上を図ることが可能な空気入りタイヤを得ることを課題とする。
【課題を解決するための手段】
【０００７】
請求項１に記載の発明は、トレッド面に複数の主溝で区画された複数の陸部を有し、タイヤ幅方向に延びる少なくとも１つのサイプによって前記陸部が分割されてサブブロックが形成された空気入りタイヤにおいて、前記陸部に、前記サイプよりも浅く少なくとも一方の端部が前記複数の主溝またはトレッド端のいずれかに達する曲線状の第１曲線浅溝と、前記サイプよりも浅く少なくとも一方の端部が前記複数の主溝のいずれかに達すると共に前記第１曲線浅溝と交差する曲線状の第２曲線浅溝と、を備えたことを特徴とする。
【０００８】
ここで、「陸部」としては、主溝によって区画されたブロックやリブを挙げることができる。また、「サイプ」は、陸部をタイヤ幅方向一端から他端へ連続している必要はなく、不連続の箇所において隣接するサブブロックが部分的に連なるような構造でも良い。
【０００９】
この空気入りタイヤでは、トレッド面に、主溝、サイプ及び第１曲線浅溝、第２曲線浅溝（第１曲線浅溝と第２曲線浅溝をまとめて、単に「浅溝」という）が形成されている。空気入りタイヤには種々な大きさ、レベルの力が加わるが、比較的大きな力に対しては主溝のエッジ効果が、陸部の変形に留まる程度の比較的小さな力に対してはサイプのエッジ効果が、そして更に微小な力に対しては浅溝のエッジ効果が発揮される。また、主にサイプ及び浅溝では吸水効果も発揮される。これにより、様々な力をより広範囲で受け止めることができ、空気入りタイヤの持つ摩擦力を効果的に向上させることができる。
【００１０】
特に本発明では、陸部に、少なくとも一方の端部が前記複数の主溝またはトレッド端のいずれかに達する曲線状の第１曲線浅溝と、前記サイプよりも浅く且つ幅狭とされ、少なくとも一方の端部が前記複数の主溝またはトレッド端のいずれかに達すると共に前記第１曲線浅溝と交差する曲線状の第２曲線浅溝と、が形成されている。両浅溝は、少なくとも一方の端部が主溝に達しているので、浅溝から主溝またはトレッド端への水分の移動が可能になり、排水効果をより高めることができる。また、両浅溝は曲線状とされているので、エッジ効果の異方性がなくなり、特にコーナリング時等の氷上性能を向上させることもできる。また、両浅溝は交差されているので、この交点を通って浅溝内の水分の移動が可能になり、除水効果をより高めることができる。
【００１１】
請求項２に記載の発明は、請求項１に記載の発明において、前記複数の主溝のうちのタイヤ幅方向に延びるタイヤ幅方向主溝に対して、タイヤ回転方向後方側に位置する前記陸部の溝後方領域における前記第１曲線浅溝及び第２曲線浅溝の形成密度が、タイヤ回転方向前方側に位置する前記陸部の溝前方領域における前記第１曲線浅溝及び第２曲線浅溝の形成密度よりも大きいことを特徴とする。
【００１２】
タイヤ幅方向に延びるタイヤ幅方向主溝に対して、タイヤ回転方向後方側に位置する溝後方領域は、次に接地するタイヤ幅方向主溝までの距離が、タイヤ回転方向前方側に位置する陸部の溝前方領域よりも遠い。したがって、次のタイヤ幅方向主溝が接地されるまでの時間も長く、より多くの水分を吸収し排水する必要が生じる。そこで、本発明では、溝後方領域に形成される第１曲線浅溝及び第２曲線浅溝の密度を溝前方領域に形成される第１曲線浅溝及び第２曲線浅溝の密度よりも大きくする。
【００１３】
これにより、より効率よく吸水、排水を行なうことができる。
【００１４】
請求項３に記載の発明は、請求項２に記載の発明において、前記第１曲線浅溝及び前記第２曲線浅溝は、タイヤ周方向に対して所定角度傾斜された波線状とされ、前記溝後方領域での接線の平均傾斜角度が前記溝前方領域での接線の平均傾斜角度よりも大きい、ことを特徴とする。
【００１５】
このように、第１曲線浅溝及び第２曲線浅溝のタイヤ周方向に対する接線の傾斜角度を変化させることにより、タイヤ幅方向主溝間の浅溝の密度を変化させることができる。
【００１６】
請求項４に記載の発明は、請求項１〜３のいずれか１項に記載の発明において、前記浅溝が、０．１ｍｍ〜０．５ｍｍの深さ及び、０．１ｍｍ〜１．０ｍｍの幅とされていることを特徴とする。
【００１７】
このように、浅溝の深さを０．５ｍｍ以下とすることで、浅溝によって区画された微小陸部の接地時における変形を抑制して、摩耗を少なくすることができる。また、浅溝の幅を１．０ｍｍ以下とすることで、微小陸部の踏面面積を確保して、使用初期で高い性能を得ることが可能となる。
【００１８】
さらに、浅溝の深さ及び幅を０．１ｍｍ以上とすることで、浅溝内に取り込み可能な水分量を確保して、高い除水効果を得ることができる。
【００１９】
請求項５に記載の発明は、請求項１〜請求項４のいずれか１項に記載の発明において、複数の前記第１曲線浅溝及び第２曲線浅溝によって区画された複数の微小陸部が、０．４ｍｍ2〜３０ｍｍ2の踏面面積とされていることを特徴とする。
【００２０】
微小陸部の踏面面積を０．４ｍｍ2以上とすることで、接地面積を確保して使用初期で高い性能を得ることが可能となる。また、３０ｍｍ2以下に制限することで、単位面積当りに占める浅溝の領域（ネガティブ率）を確保できるので、浅溝内に取り込み可能な水分量を多くして、高い除水効果を得ることができる。
【００２１】
請求項６に記載の発明は、請求項１〜請求項５のいずれか１項に記載の発明において、複数の前記第１曲線浅溝及び第２曲線浅溝が、規則的なパターンにより配置されていることを特徴とする。
【００２２】
これにより、浅溝による性能の局所的な変化を無くし、陸部全体で均一な性能を得ることができる。
【００２３】
請求項７に記載の発明は、請求項１〜請求項６のいずれか１項に記載の発明において、前記陸部を構成するゴムが、タイヤの半径方向外側の発泡ゴム層と、半径方向内側の未発泡ゴム層と、で構成されていることを特徴とする。
【００２４】
したがって、この空気入りタイヤでは、使用により接地面が摩耗すると、発泡ゴム層の発泡部分（発泡層）が露出するので、この発泡部分で路面との間に発生した水の吸収効果、及び路面に対するエッジ効果を得ることができる。空気入りタイヤの使用初期において発泡部分が露出していない場合でも、陸部に形成された複数の浅溝により、吸水効果、エッジ効果を得ることができる。
【００２５】
また、半径方向内側の未発泡ゴム層により、陸部の形状を安定的に維持可能となる。
【発明の効果】
【００２６】
本発明は上記構成としたので、空気入りタイヤの使用初期での更なる性能向上を図ることが可能となる。
【発明を実施するための最良の形態】
【００２７】
図１には、本発明の第１実施形態の空気入りタイヤ１０が示されている。この空気入りタイヤ１０は、回転方向があらかじめ決められている。図面においてこの回転方向を矢印Ｓで、これと直交するタイヤ幅方向を矢印Ｗでそれぞれ示す。なお、空気入りタイヤ１０の周方向は、回転方向及びその反対方向となる。
【００２８】
図２に示すように、この空気入りタイヤ１０のトレッド１２は、タイヤ径方向内側の内方ゴム層３４と、タイヤ径方向外側の外方ゴム層３６と、で構成されている。
【００２９】
外方ゴム層３６は、内部に多数の気泡が存在する発泡ゴム層とされており、空気入りタイヤ１０の使用時には、この気泡内に、トレッド１２の踏面と路面との間の水分が吸収される。また、気泡によって路面に引っかかるエッジ効果も発揮される。ただし、一般に空気入りタイヤ１０の使用初期では、タイヤ成形の金型と直接接触するタイヤ表面（踏面）に、気泡が露出しない。
【００３０】
これに対し、内方ゴム層３４はこのような気泡が存在しない未発泡ゴム層とされており、外方ゴム層３６よりも高い剛性を有している。これにより、トレッド１２の形状を安定的に維持できる。
【００３１】
図１に示すように、空気入りタイヤ１０のトレッド１２には、タイヤ赤道面ＣＬ上に直線状の周溝１４が形成され、タイヤ赤道面ＣＬのタイヤ幅方向両側にも周溝１６が形成されている。空気入りタイヤ１０のタイヤ幅方向両側からは、タイヤ赤道面ＣＬに向かって湾曲し、周溝１６に交差する横溝１８が形成されている。横溝１８は、周溝１６と周溝１４の中間部分において、回転方向に向かって屈曲しており、さらに、この屈曲部分の長手方向略中央からは、周溝１４に連なる横溝２４が形成されている。これらの周溝１４、１６、及び横溝１８、２４は、本発明に係る主溝３８であり、この主溝３８によって、空気入りタイヤ１０のトレッド１２には複数個のブロック２０（陸部）が画成されている。
【００３２】
本実施形態の空気入りタイヤ１０は、冬用のスタッドレスタイヤとして用いられるものであって、トレッド１２を形成しているトレッドゴムは、硬度（０°Ｃ、ＪＩＳ−Ａ）が５０度であり、損失係数ｔａｎδ（ピーク位置）が−４５°Ｃ、動的弾性率（−２０°Ｃ、０．１％歪）が１８０ｋｇｆ／ｃｍ2であるが、本発明はこれに限定されない。
【００３３】
なお、冬用のスタッドレスタイヤとして用いる場合のトレッドゴムは、硬度（０°Ｃ、ＪＩＳ−Ａ）が４０〜６８度、損失係数ｔａｎδ（ピーク位置）が−３０°Ｃ以下、動的弾性率（−２０°Ｃ、０．１％歪）が３００ｋｇｆ／ｃｍ2以下であることが好ましい。
【００３４】
ここで、トレッドゴムの硬度が４０度未満の場合は、柔らかすぎて耐摩耗性に劣り、６８度より高い場合は硬すぎて氷雪路面との接触面積が減って制動性能・駆動性能等が劣るため好ましくない。また、損失係数ｔａｎδ（ピーク位置）が−３０°より高いと、氷雪路面では剛すぎて接触面積が減って制動性能・駆動性能等に劣るため好ましくない。さらに、動的弾性率が３００ｋｇｆ／ｃｍ2よりも高いと、氷雪路面では剛すぎて接触面積が減って制動性能・駆動性能等に劣るため好ましくない。
【００３５】
一方、周溝１４、１６、及び横溝１８、２４は、排水性及び寿命の点から溝深さ８ｍｍ以上、溝幅３ｍｍ以上とすることが好ましく、トレッド１２の踏面のネガティブ比率は、同じく排水性の点、ブロック２０の剛性の点から２５〜６５％とすることが好ましい。
【００３６】
ここで、溝深さが８ｍｍ未満、また、溝幅が３ｍｍ未満では、溝による排水性が十分に発揮できないため好ましくない。また、ネガティブ比率が２５％未満となると、排水性が低下するため好ましくなく、６５％よりも高くなると陸部としてのブロック２０が小さくなって剛性が低下するため、制動性能・駆動性能が低下する場合があり、耐摩耗性能も悪化するため好ましくない。
【００３７】
これらブロック２０の踏面には、図３にも示すように、タイヤ幅方向（矢印Ｗ方向）に延びるジグザク状のサイプ２２が設けられており、ブロック２０のそれぞれが、主溝３８−サイプ２２間、又はサイプ２２−サイプ２２間の複数のサブブロック２８に分割されている。
【００３８】
また、ブロック２０の踏面には、路面との間に生じた水分を吸収して、水膜を除去あるいは減少可能な第１曲線浅溝２６、及び第２曲線浅溝２７が設けられている。この第１曲線浅溝２６及び第２曲線浅溝２７により、サブブロック２８が微小陸部３０に区画されている。
【００３９】
第１曲線浅溝２６は、タイヤ周方向に対して所定角度傾斜された波線状とされ、第２曲線浅溝２７は、タイヤ周方向に対して第１曲線浅溝２６と線対称の形状とされている。第１曲線浅溝２６及び第２曲線浅溝２７の一端はいずれかの主溝３８に達し、他端はトレッド端部に達している。
【００４０】
横溝１８に対して、タイヤ回転方向後方側に位置する領域を溝後方領域Ｒ、タイヤ回転方向前方側に位置する領域を溝前方領域Ｆとすると、溝後方領域Ｒにおける第１曲線浅溝２６及び第２曲線浅溝２７の接線のタイヤ周方向に対する平均傾斜角度は、溝前方領域Ｆにおける第１曲線浅溝２６及び第２曲線浅溝２７の接線のタイヤ周方向に対する平均傾斜角度よりも大きくされている。これにより、溝後方領域Ｒにおける第１曲線浅溝２６及び第２曲線浅溝２７の形成密度が、溝前方領域Ｆにおける第１曲線浅溝２６及び第２曲線浅溝２７の形成密度よりも大きくなっている。
【００４１】
ここで、溝後方領域Ｒは、２つの横溝１８のタイヤ周方向の間隔Ｋに対して、タイヤ周方向に１／２以下の領域をいう。なお、本実施形態では、溝後方領域Ｒを前述のように設定しているが、間隔Ｋに対して、横溝１８の後方１５％〜８５％の範囲の領域であればよい。
【００４２】
第１曲線浅溝２６及び第２曲線浅溝２７の幅Ｗ１（図４参照）は、少なくともサイプ２２の幅Ｗ２（図３参照）よりも狭くされているが、これらの幅は同程度、あるいはＷ１がＷ２より広くてもよい。
【００４３】
図４に示すように、第１曲線浅溝２６及び第２曲線浅溝２７は、断面形状が略矩形状を呈しており、その深さＤ１は０．１ｍｍ〜０．５ｍｍの範囲が好ましく、幅Ｗ１は０．１ｍｍ〜１．０ｍｍの範囲が好ましい。深さＤ１及び幅Ｗ１を０．１ｍｍ以上とすることで、第１曲線浅溝２６及び第２曲線浅溝２７内に取り込み可能な水分量を確保して、高い除水効果を得ることができる。また、その深さＤ１を０．５ｍｍ以下、幅Ｗ１を１．０ｍｍ以下とすることで、微小陸部３０の接地時における変形を抑制して、摩耗を少なくすることができる。
【００４４】
また、微小陸部３０の踏面面積としては、０．４ｍｍ2〜３０ｍｍ2とすることが好ましい。踏面面積を０．４ｍｍ2以上とすることで、接地面積を確保して、空気入りタイヤ１０の使用初期で高い性能を得ることが可能となる。また、３０ｍｍ2以下に制限することで、第１曲線浅溝２６及び第２曲線浅溝２７内に取り込み可能な水分量を確保して、高い除水効果を得ることができる。
【００４５】
なお、第１曲線浅溝２６及び第２曲線浅溝２７は、空気入りタイヤ１０を加硫成型するモールドの内面に、切削加工、放電加工、エッチング加工等にて形成することができる。
【００４６】
また、第１曲線浅溝２６及び第２曲線浅溝２７は成型後のタイヤや、走行に供されてある程度表面が摩耗したタイヤに形成することもでき、このようなタイヤにおいては、ナイフカットあるいは紙やすりなどによる表面バフ等により形成することができる。
【００４７】
次に、本実施形態の空気入りタイヤ１０の作用を説明する。
【００４８】
空気入りタイヤ１０のトレッド１２は、タイヤ径方向内側の内方ゴム層３４（未発泡ゴム層）と、タイヤ径方向外側の外方ゴム層３６（発泡ゴム層）とで構成されているが、使用初期では、踏面に、外方ゴム層３６の気泡が露出していない。
【００４９】
使用初期状態の空気入りタイヤ１０で氷雪路上を走行すると、トレッド１２と氷または雪とが接触する際の圧力、摩擦等により水が発生する。摩擦力低下の原因となるこの水はブロック２０の踏面に設けられた第１曲線浅溝２６及び第２曲線浅溝２７内に取り込まれ、この溝部分を介して（あるいは、さらにサイプ２２を介して）周溝１４、１６、及び横溝１８、２４へと排出されるため、踏面と路面との間の水膜が除去される。
【００５０】
このため、本実施形態の空気入りタイヤ１０は、踏面に浅溝２６が形成されていないタイヤに比較して、使用初期における氷雪路面での制動性能・駆動性能が向上すると共にウエット路面においても、浅溝２６の排水効果によりウエット性能が向上する。
【００５１】
特に本実施形態では、第１曲線浅溝２６及び第２曲線浅溝２７の一端が周溝１４に達し、他端がトレッド端部に達しているので、第１曲線浅溝２６及び第２曲線浅溝２７から周溝１４またはトレッド端外側への水分の移動が可能になり、排水効果をより高めることができる。なお、第１曲線浅溝２６及び第２曲線浅溝２７は少なくともその一端がいずれかの主溝３８またはトレッド端に達していれば、排水効果の向上を図ることができる。
【００５２】
また、第１曲線浅溝２６及び第２曲線浅溝２７は曲線状とされているので、エッジ効果の異方性がなくなり、特にコーナリング時等の氷上性能が向上している。また、第１曲線浅溝２６及び第２曲線浅溝２７は交差されているので、この交点を通って両浅溝内の水分の移動が可能になり、除水効果をより高めることができる。
【００５３】
また、溝後方領域はＲは、次に接地する横溝１８までの距離が、溝前方領域Ｆよりも遠く、次の横溝１８が接地されるまでの時間も長くなり、より多くの水分を吸収し排水する必要が生じるが、本実施形態では、溝後方領域Ｒにおける第１曲線浅溝２６及び第２曲線浅溝２７の密度が、溝前方領域Ｆにおける第１曲線浅溝２６及び第２曲線浅溝２７の密度よりも大きいので、効率よく排水を行なうことができる。
【００５４】
なお、本発明に係る第１曲線浅溝及び第２曲線浅溝は、前述した実施形態のような波線状のものに限定されるものではない。図５に示すように、長径がタイヤ周方向に対して所定角度傾斜した楕円形状の第１楕円浅溝５０と、タイヤ周方向に対して第１楕円浅溝５０と線対称の形状の第２楕円浅溝５２としてもよい。
【００５５】
また、本発明に係る第１曲線浅溝及び第２曲線浅溝は、図６に示すように、半円形状の第１半円形浅溝５４と、第１半円形浅溝５４を１８０°回転させた第２半円形浅溝５６としてもよい。第１半円形浅溝５４及び第２半円形浅溝５６は、半径がトレッド幅の１／４以上とされ、タイヤ回転方向に凸状となる略半円形状とされている。第１半円形浅溝５４及び第２半円形浅溝５６が、タイヤ周方向Ｓに所定間隔で並べて、浅溝群を構成することもできる。
【００５６】
また、第１曲線浅溝及び第２曲線浅溝は必ずしも本実施形態のような規則的なパターンで配置する必要もないが、規則的にパターン化すると、構造が簡単になり、しかも、トレッド面全体にわたって均一な性能を確保できるので、好ましい。
【００５７】
なお、本実施形態では、ブロック２０にサイプ２２が形成された空気入りタイヤ１０を例に挙げたが、サイプ２２が形成されていない空気入りタイヤに本発明を適用し、第１曲線浅溝２６及び第２曲線浅溝２７をブロック２０に形成することも可能である。この場合には、少なくとも周溝１４、１６、及び横溝１８、２４よりも第１曲線浅溝及び第２曲線浅溝を浅く且つ幅狭とすれば、空気入りタイヤの基本性能に第１曲線浅溝２６及び第２曲線浅溝２７が与える影響を少なくでき、且つ第１曲線浅溝及び第２曲線浅溝の本来的な効果である除水効果も維持できる。
【００５８】
また、主溝３８によってブロック２０が形成された空気入りタイヤ１０に限らず、たとえばリブが形成された空気入りタイヤに対しても、このリブに浅溝を形成して本発明に係る空気入りタイヤとすることが可能である。
【００５９】
また、ブロック２０（又はリブ）として、発泡ゴム層で構成された外方ゴム層に代えて、氷上性能を向上させるために充填剤が充填されたゴムで構成されていてもよい。この構成であっても、空気入りタイヤの使用初期では踏面に充填剤が露出していないことが想定されるが、本実施形態のような浅溝を形成することで、空気入りタイヤの使用初期での性能を向上させることができる。
【実施例】
【００６０】
次に、本発明を実施例により、さらに詳細に説明する。
【００６１】
本実施例では、図１〜図４に示す本実施形態の空気入りタイヤ１０を乗用車に装着し、使用初期における氷上性能を評価した。第１曲線浅溝２６及び第２曲線浅溝２７のタイヤ周方向に対する平均傾斜角度は３３°とした。
【００６２】
また、比較例として、図７に示す空気入りタイヤ７０を使用して、同じく使用初期における氷上性能を評価した。この空気入りタイヤ７０は、図８にも示すように、実施例の空気入りタイヤ１０の浅溝２６に代えて、周方向に対し４５°の角度を成し、互いに交差する２方向の複数本の浅溝７２（間隔：１．０９ｍｍ）を形成している点が空気入りタイヤ１０と異なっている。これ以外の基本的構成は実施例の空気入りタイヤ１０と同一であり、図７においても同一部分は図１と同符号を付している。
【００６３】
空気入りタイヤ１０、７０の基本的な構成と、氷上性能の評価を表１に示す。
【００６４】
【表１】
2006151223.tif 000003
これら実施例及び比較例では、共通の条件として、
・タイヤサイズ：１９５／６５Ｒ１６
・使用リム    ：６Ｊ−１５
・使用内圧    ：２１０ｋＰａ（フロント、リヤ同じ）
とした。
【００６５】
＜試験方法及び評価方法＞
・氷上加速
氷上で５ｋｍ／ｈから１５ｋｍ／ｈへと加速するのに要する時間を計測し、比較例を１００として実施例を相対的に指数評価した。数値が大きくなるほど加速性能に優れていることを示す。
【００６６】
・制動距離
氷上で２０ｋｍ／ｈの定速走行中にブレーキロックにより０ｋｍ／ｈへと減速するのに要した制動距離を測定し、比較例を１００として実施例を相対的に指数評価した。数値が大きくなるほど制動性能に優れていることを示す。
【００６７】
・旋回性能
氷上での旋回安定性をテストドライバーによるフィーリングにより評価した。数値が大きくなるほど旋回安定性に優れていることを示す。
【００６８】
表１から、本実施例では、氷上での加速性能、制動性能、旋回性能のいずれにおいても比較例より優れていることが分かる。本実施例では第１曲線浅溝２６及び第２曲線浅溝２７が曲線形状であり、溝後方領域の密度が溝前方領域の密度よりも大きいためであると考えられる。
【図面の簡単な説明】
【００６９】
【図１】本実施形態の空気入りタイヤのトレッドを示す平面図である。
【図２】本実施形態の空気入りタイヤのブロックを拡大して示す断面図である。
【図３】本実施形態の空気入りタイヤのトレッドを部分的に拡大して示す平面図である。
【図４】本実施形態の空気入りタイヤのトレッドに形成された第１曲線浅溝及び第２曲線浅溝の深さ及び幅を示す説明図である。
【図５】本実施形態の空気入りタイヤのトレッドの変形例を示す平面図である。
【図６】本実施形態の空気入りタイヤのトレッドの他の変形例を示す平面図である。
【図７】比較例の空気入りタイヤのトレッドを示す平面図である。
【図８】比較例の空気入りタイヤのトレッドに形成された浅溝のみを取り出して示す説明図である。
【符号の説明】
【００７０】
１０  タイヤ
１４  周溝
１６  周溝
１８  横溝
２０  ブロック
２２  サイプ
２４  横溝
２６  第１曲線浅溝
２７  第２曲線浅溝
２８  サブブロック
３０  微小陸部
３８  主溝
５０  第１楕円浅溝
５２  第２楕円浅溝
５４  第１半円形浅溝
５６  第２半円形浅溝
Ｆ    溝前方領域
Ｒ    溝後方領域
θ１  角度
【図１】
2006151223.tif 000004
【図２】
2006151223.tif 000005
【図３】
2006151223.tif 000006
【図４】
2006151223.tif 000007
【図５】
2006151223.tif 000008
【図６】
2006151223.tif 000009
【図７】
2006151223.tif 000010
【図８】
2006151223.tif 000011